(57)【要約】  【課題】  デザイン性に優れたシンプルな構成で、背もたれの着脱、及びその高さ位置の調節を容易にできる椅子を提供する。  【解決手段】  座部１の後方中央に立設された支柱２に、複数の貫通孔２ａ，２ｂ，２ｃを備え、背もたれ３に、棒状部材とひも状部材よりなる背もたれ止め具４を設け、上記棒状部材を、貫通孔をくぐらせて、その両端部分を支柱２の貫通孔の周縁の平面部分に当接させることにより、背もたれ３を支柱２に取り付ける構成とした。  【選択図】  図１
2006320582.tif 000002
【特許請求の範囲】
【請求項１】
座部と、該座部のほぼ後方中央に立設された支柱と、該支柱の前面に着脱可能に取り付けられる背もたれとを有する椅子であって、
前記支柱は、その高さ方向に配置された複数の貫通孔を備え、
前記背もたれは、前記支柱の貫通孔の径よりも長い棒状部材よりなり、該棒状部材の中央付近がひも状部材を介して前記背もたれの背面に連結された背もたれ止め具を備え、
前記背もたれに前記ひも状部材を介して連結された前記背もたれ止め具は、その棒状部材を、前記支柱の貫通孔をくぐらせたのち、前記棒状部材の両端部分が前記貫通孔の周縁近傍に当接せられるものである、
ことを特徴とする椅子。
【請求項２】
請求項１記載の椅子において、
前記背もたれの背面は、伸縮性のある材料からなる、
ことを特徴とする椅子。
【請求項３】
請求項１記載の椅子において、
前記ひも状部材は、伸縮性のある材料からなる、
ことを特徴とする椅子。
【発明の詳細な説明】
【技術分野】
【０００１】
本発明は、椅子に関し、特に背もたれの着脱、およびその高さ位置の調節を容易にできる椅子に関するものである。
【背景技術】
【０００２】
従来、背もたれ部を着脱できるようにした椅子として、例えば特許文献１に記載されたものがあるが、この文献に開示された椅子においては、背もたれ部を着脱することはできるが、その高さ位置を調節できるものではなかった。
【特許文献１】特開2003-047535号公報
【発明の開示】
【発明が解決しようとする課題】
【０００３】
上記特許文献に記載された椅子は、背もたれ部を着脱することはできるが、その高さ位置を調節できるものではなかった。また、従来、シンプルな構成で、背もたれの着脱、及びその高さ位置の調節を容易にできる椅子は少なく、デザイン性に優れたものがない、という問題があった。
【０００４】
本発明は、従来の技術が有する上述のような問題点に鑑みてなされたもので、デザイン性に優れたシンプルな構成で、背もたれの着脱、及びその高さ位置の調節を容易にできる椅子を提供することを目的とする。
【課題を解決するための手段】
【０００５】
上記の課題を解決するために、本発明（請求項１）にかかる椅子は、座部と、該座部のほぼ後方中央に立設された支柱と、該支柱の前面に着脱可能に取り付けられる背もたれとを有する椅子であって、前記支柱は、その高さ方向に配置された複数の貫通孔を備え、前記背もたれは、前記支柱の貫通孔の径よりも長い棒状部材よりなり、該棒状部材の中央付近がひも状部材を介して前記背もたれの背面に連結された背もたれ止め具を備え、前記背もたれに前記ひも状部材を介して連結された前記背もたれ止め具は、その棒状部材を、前記支柱の貫通孔をくぐらせたのち、前記棒状部材の両端部分が前記貫通孔の周縁近傍に当接せられるものである、ことを特徴とするものである。
これにより、シンプルな構成で、背もたれの着脱、及びその高さ位置の調節を容易にできる椅子を提供することができる。
【０００６】
また、本発明（請求項２）にかかる椅子は、請求項１記載の椅子において、前記背もたれの背面は、伸縮性のある材料からなる、ことを特徴とするものである。
また、本発明（請求項３）にかかる椅子は、請求項１記載の椅子において、前記ひも状部材は、伸縮性のある材料からなる、ことを特徴とするものである。
【発明の効果】
【０００７】
本発明によれば、座部と、該座部の後方に立設された支柱と、該支柱に着脱可能に取り付けられる背もたれとを有する椅子であって、前記支柱は、その高さ方向に並んだ複数の貫通孔を備え、前記背もたれは、背面に、前記支柱の貫通孔の径よりも長い棒状部材を該棒状部材の中央付近と前記背面の表面をひも状部材で連結して取り付けてなる背もたれ止め具を備え、前記背もたれが、前記棒状部材を前記支柱のいずれかの貫通孔をくぐらせ、棒状部材の両端部分を該貫通孔の周縁近傍に当接させた状態として前記支柱に取り付けられるものとしたから、デザイン性に優れたシンプルな構成で、背もたれの着脱、及びその高さ位置の調節を容易にできる椅子を提供することができる効果がある。
【発明を実施するための最良の形態】
【０００８】
（実施の形態１）
図１は、本発明の実施の形態１による椅子の構成を示す図である。図１において、本実施の形態１にかかる椅子１００は、座部１と、座部１の後端に立設された支柱２を備える。支柱２はその高さ方向に等間隔に設けられた複数の貫通孔２ａ，２ｂ，２ｃを備える。背もたれ３は止め具４を用いて支柱２に固定される。
【０００９】
図２は、背もたれ３の構成を示す図であり、図に示すように、背もたれ３の背面３ａには、棒状部材４ａを、その長さ方向の中央付近と、背もたれ３の背面３ａの表面とをひも状部材４ｂで連結してなる背もたれ止め具４が、背面３ａの中心線上に上下に並べて２つ設けられている。棒状部材４ａは両端に丸みを設けた木製の棒からなり、その長さ方向の中央付近にひも状部材４ｂが固着されるくびれ部分が設けられている。また、棒状部材４ａの長さ方向の寸法は、支柱２の貫通孔の径よりも長い寸法となっている。ひも状部材４ｂは例えば太い木綿糸のような伸縮性のない丈夫な材料、又はゴムひものような伸縮性のある材料よりなり、その一端は背面３ａの表面に、縫付け、又は接着剤によって固着され、他端は棒状部材４ａの長さ方向の中央付近に設けられたくびれの部分に、結び付け、又は接着剤によって固着される。
【００１０】
次に、本実施の形態１による椅子の背もたれの着脱の動作について説明する。
まず、背もたれ３を支柱２に取り付ける動作について説明する。背もたれ３を支柱２に取り付けるときには、図３（ａ）に示すように棒状部材４ａを長さ方向に貫通孔２ｂ，２ｃをくぐらせて支柱２の反対側に出し、その後、棒状部材４ａを、貫通孔の貫通方向に対して垂直の方向に向ける。
【００１１】
このとき、背もたれ３の背面３ａがレザー張りや布張りのように伸縮性のある材料からなるものである場合には、棒状部材４ａを引っ張ることによって、図３（ａ）に示すように背面３ａのひも状部材４ｂの連結点が引っ張られて貫通孔の貫通方向に伸び、棒状部材４ａの全体を支柱２の反対側に出すことができる。このように棒状部材４ａを支柱の反対側に出した後、棒状部材４ａを、貫通孔の貫通方向に対して垂直の方向に向けると、背もたれ３の背面３ａの収縮力によって棒状部材４ａが貫通孔２ｂ，２ｃの方向に引っ張られ、図３（ｂ）に示すように棒状部材４ａの両端部分が貫通孔２ｂ，２ｃの周縁部分に当接した状態となり、このようにして背もたれ３を支柱２に取り付けることができる。
【００１２】
図４は図３（ｂ）の状態を後方から見た図である。棒状部材４ａの長さ方向の寸法は、支柱２の貫通孔２ｂ，２ｃの径よりも長い寸法となっており、図３（ｂ）にも示されるように、棒状部材４ａの両端部分が貫通孔２ｂ，２ｃの周縁部分に当接し、背もたれ３を支柱２に固定することができる。
【００１３】
なお、背もたれ３の背面３ａが金属板や木製板のように伸縮性のない材料からなる場合には、ひも状部材４ｂをゴム等の伸縮性のある材料よりなるものとすることにより、図３（ａ）に示す過程において、ひも状部材４ｂが伸長して、棒状部材４ａの全体を支柱の反対側に出すことができ、ひも状部材４ｂの収縮力によって棒状部材４ａがひも状部材４ｂとほぼ直角となった状態で貫通孔２ｂ，２ｃの方向に引っ張られ、図３（ｂ）に示すように棒状部材４ａの両端部分が貫通孔２ｂ，２ｃの周縁部分に当接した状態とされることとなる。
【００１４】
次に、支柱２に取り付けた背もたれ３を支柱２から取り外す動作について説明する。背もたれ３を支柱２から取り外すときには、上述した取り付けの動作と逆の要領で、図３（ｂ）に示す状態から、棒状部材４ａを、その長さ方向が貫通孔の貫通方向と同じになるように立てて、該棒状部材４ａを貫通孔２ｂ，２ｃをくぐらせて支柱２から引き抜くことにより、容易に背もたれ３を支柱２から取り外すことができる。
【００１５】
次に、本実施の形態１による椅子において、背もたれの高さ位置を調整するには、支柱２に、その高さ方向に配置された３つの貫通孔２ａ，２ｂ，２ｃのうち、図１に示すように、下側２つの貫通孔２ａ，２ｂを用いるか、図５に示すように、上側２つの貫通孔２ｂ，２ｃを用いるかによって、該背もたれ３の高さ位置の調整を行なうことができる。また、この貫通孔の配置間隔をより狭くし、より多くの貫通孔を設けることにより、背もたれ３の高さ位置の調整をより細かく行なうことができる。
【００１６】
以上のように、本実施の形態によれば、支柱２に、複数の貫通孔２ａ，２ｂ，２ｃを備え、背もたれ３に、棒状部材４ａとひも状部材４ｂよりなる背もたれ止め具４を設け、上記棒状部材４ａを、貫通孔をくぐらせて、その両端部分を支柱２の貫通孔の周縁の平面部分に当接させるようにしたので、デザイン性に優れたシンプルな構成で、背もたれの着脱、及びその高さ位置の調節を容易にできる椅子を提供することができる。
【００１７】
なお、上記実施の形態では、椅子の形状が脚部を有するタイプの椅子であるものについて説明したが、脚部のない座椅子タイプの椅子であってもよく、上記実施の形態と同様の効果を奏する。
【産業上の利用可能性】
【００１８】
本発明によれば、デザイン性に優れたシンプルな構成で、背もたれの着脱、及びその高さ位置の調節を容易にできる椅子を提供することができ、椅子製造等の分野において利用することが可能である。
【図面の簡単な説明】
【００１９】
【図１】本発明の実施の形態１による椅子の構成を示す図
【図２】本発明の実施の形態１による椅子の背もたれの構成を示す図
【図３】本発明の実施の形態１による椅子の背もたれを支柱に取り付ける動作を説明する断面図
【図４】本発明の実施の形態１による椅子の背もたれを支柱に取り付けた状態を示す図
【図５】本発明の実施の形態１による椅子の背もたれの高さ位置を変えた状態を示す図
【符号の説明】
【００２０】
１  座部
２  支柱
２ａ  貫通孔
３  背もたれ
３ａ  背もたれの背面
４  背もたれ止め具
４ａ  棒状部材
４ｂ  ひも状部材
【図１】
2006320582.tif 000003
【図２】
2006320582.tif 000004
【図３】
2006320582.tif 000005
【図４】
2006320582.tif 000006
【図５】
2006320582.tif 000007